(57)【要約】【課題】コイン等の金属片で印刷物を擦る前において隠れている文字や図形等の画像が透視される危険を回避し、低コスト且つ高生産が可能であり、環境にもやさしい印刷物の提供を課題とする。【解決手段】賞品引き替えカードやチケット等の印刷基材上５にコイン等の金属片で擦ることによって文字や図形等の潜在画像Ｓが目視可能となる画像潜在領域１と、該領域上に目視可能に着色された顕在領域２とを有する印刷物１０である。画像潜在領域１はコイン等の金属片よりも硬い酸化チタン等の材料を含有する白色インキを用いて印刷された層に構成されており、顕在領域２は前記画像潜在領域１が印刷された層の上に黄・赤・藍の３原色のインキを用いて印刷された層に構成されている。【選択図】      図１
2008073977.tif 000002
【特許請求の範囲】
【請求項１】
賞品引き替えカードやチケット等の印刷基材上にコイン等の金属片で擦ることによって文字や図形等の潜在画像が目視可能となる画像潜在領域と、該画像潜在領域上に目視可能に着色された顕在領域とを有することを特徴とする印刷物。
【請求項２】
画像潜在領域はコイン等の金属片よりも硬い酸化チタン等の材料を含有する白色インキを用いて印刷された層に構成されており、顕在領域は前記画像潜在領域が印刷された層の上に黄・赤・藍の３原色のインキを用いて印刷された層に構成されていることを特徴とする請求項１に記載の印刷物。
【請求項３】
顕在領域は黄・赤・藍の３原色のインキをそれぞれ個別に用い、黄・赤・藍の３種類の網点がランダムに印刷された層に構成されていることを特徴とする請求項１又は２に記載の印刷物。
【請求項４】
白色インキには添加剤としてマットメジュームを加えてあることを特徴とする請求項１〜３の何れかに記載の印刷物。
【請求項５】
賞品引き替えカードやチケット等の印刷基材上にコイン等の金属片で擦ることによって文字や図形等の潜在画像が目視可能となる画像潜在領域と、目視可能に着色された顕在領域とを印刷するようにした印刷物の製造法であって、前記画像潜在領域の印刷にコイン等の金属片よりも硬い酸化チタン等の材料を含有する白色インキを用い、顕在領域の印刷に黄・赤・藍の３原色のインキを用い、前記印刷基材上に画像潜在領域をまず印刷し、その後に該画像潜在領域の上に前記顕在領域を重ね刷りし、前記画像潜在領域及び顕在領域を含む印刷基材上の全てのカラー印刷を黄・赤・藍・白の４色のインキを用いて行うことを特徴とする印刷物の製造方法。
【発明の詳細な説明】
【技術分野】
【０００１】
本発明はコイン等の金属片で擦ることによって文字や図形等の画像が目視可能となる印刷物及びその製造方法に関する。
【背景技術】
【０００２】
従来、紙等の被印刷物をコイン等の金属片で擦ることにより文字や図形等の画像があらわれる印刷物としては、被印刷物の表面に文字や図形等の印刷画像を設け、その上に銀インキをシルクスクリーン印刷により塗布して、前記印刷画像を遮蔽するようにしたものが提供されている。そしてこの様な印刷物は、主としてスクラッチくじ等に利用されている。
しかし前記銀インキで文字や図形等の印刷画像を遮蔽する様なシルクスクリーン印刷物の場合、銀シルクスクリーン印刷の工程を必要とするために低コスト且つ高生産を実現することが困難であり、また削りカスが生じることから衛生面に問題があった。
一方、紙等の被印刷物をコイン等の金属片で擦ることにより文字や図形等の画像があらわれる印刷物で、銀シルクスクリーン印刷の工程を必要とせず、削りカスも生じない印刷物として、特公平６−７８０３９号公報、特開２００３−１４５９６６号公報、特開２００１−１８５６２号公報に記載の発明がある。
【特許文献１】特公平６−７８０３９号公報
【特許文献２】特開２００３−１４５９６６号公報
【特許文献３】特開２００１−１８５６２号公報
【発明の開示】
【発明が解決しようとする課題】
【０００３】
上記特許文献１〜３に示す印刷物は、何れもコインの削り取られた金属が秘密画像を目視できる状態に黒く着色する構成であることから、銀シルクスクリーン印刷の工程を必要とせず、削りカスも生じない点でコスト面及び衛生面で利点があるものである。また上記特許文献２に示す印刷物は、コインで引き裂く場所が地模様の輪郭図形で囲まれた構成となっていることから、コインで引き裂く場所を容易に認識できる点に利点があるものである。
また上記特許文献３に示す印刷物は、レシートの広告媒体機能に着目し、ロール状レシート用紙の裏面を有効活用できる点に利点があるものである。
しかし上記特許文献１に示す印刷物においては、印刷基材上の画像が白色顔料のみのインキでしか印刷されていない構成上、印刷基材上の何処を削ればいいのか予めわからず、更に印刷物を見る角度によっては目視不能に隠されている画像が透視され易いという問題があった。
また上記特許文献２、３の何れにおいても、コインの削り取られた金属が目視できる状態に黒く着色する部分が秘密画像自体であり、しかもその秘密画像が印刷されたインキ層が最上位層にあることから、コインで擦る前に秘密画像が透視され易いという問題があった。
【０００４】
そこで本発明は上記従来技術における問題点を解決し、コイン等の金属片で印刷物を擦る前において隠れている文字や図形等の画像が透視される危険を回避し、低コスト且つ高生産が可能であり、環境にもやさしい印刷物の提供を課題とする。
【課題を解決するための手段】
【０００５】
上記課題を達成するための本発明の印刷物は、賞品引き替えカードやチケット等の印刷基材上にコイン等の金属片で擦ることによって文字や図形等の潜在画像が目視可能となる画像潜在領域と、該領域上に目視可能に着色された顕在領域とを有することを第１の特徴としている。
また本発明の印刷物は、上記第１の特徴に加えて、画像潜在領域はコイン等の金属片よりも硬い酸化チタン等の材料を含有する白色インキを用いて印刷された層に構成されており、顕在領域は前記画像潜在領域が印刷された層の上に黄・赤・藍の３原色のインキを用いて印刷された層に構成されていることを第２の特徴としている。
また本発明の印刷物は、上記第１又は第２の特徴に加えて、顕在領域は黄・赤・藍の３原色のインキをそれぞれ個別に用い、黄・赤・藍の３種類の網点がランダムに印刷された層に構成されていることを第３の特徴としている。
また本発明の印刷物は、上記第１〜第３の何れかの特徴に加えて、白色インキには添加剤としてマットメジュームを加えてあることを第４の特徴としている。
また本発明の印刷物の製造方法は、賞品引き替えカードやチケット等の印刷基材上にコイン等の金属片で擦ることによって文字や図形等の潜在画像が目視可能となる画像潜在領域と、目視可能に着色された顕在領域とを印刷するようにした印刷物の製造方法であって、前記画像潜在領域の印刷にコイン等の金属片よりも硬い酸化チタン等の材料を含有する白色インキを用い、顕在領域の印刷に黄・赤・藍の３原色のインキを用い、前記印刷基材上に画像潜在領域をまず印刷し、その後に該画像潜在領域の上に前記顕在領域を重ね刷りし、前記画像潜在領域及び顕在領域を含む印刷基材上の全てのカラー印刷を黄・赤・藍・白の４色のインキを用いて行うことを第５の特徴としている。
【発明の効果】
【０００６】
請求項１に記載の印刷物によれば、目視可能に着色された顕在領域がコイン等の金属片で擦ることによって文字や図形等の潜在画像が目視可能となる画像潜在領域上に構成されていることから、顕在領域を目印として印刷基材上におけるコイン等の金属片で擦る場所を容易に認識することができる。
【０００７】
請求項２に記載の印刷物によれば、上記請求項１に記載の構成による効果に加えて、画像潜在領域はコイン等の金属片よりも硬い酸化チタン等の材料を含有する白色インキを用いて印刷された層に構成されていることから、コイン等の金属片で前記画像潜在領域を擦ると、コイン等の金属片の金属が酸化チタン等の材料を含有する白色インキに削り取られ、これにより画像潜在領域が着色され、画像潜在領域に潜在されている文字や図形等の潜在画像が後発的に目視可能となる。
また顕在領域は画像潜在領域が印刷された層より上層に黄・赤・藍の３原色のインキを用いて印刷された層に構成されていることから、コイン等の金属片で画像潜在領域を擦る前においては、まず有色である顕在領域が無色である画像潜在領域を覆う働きを有することにより、画像潜在領域に印刷された文字や図形等の潜在画像の目視や透視を防止することができる。
またコイン等の金属片で画像潜在領域を擦った後において、潜在画像をコイン等の金属片よりも硬い酸化チタン等の材料を含有する白色インキで刷り残す構成とする場合には、着色された画像潜在領域に顕在領域における潜在画像以外の部分が埋没する状態となり、潜在画像の視認性を阻害することがなくなる。一方、潜在画像のみをコイン等の金属片よりも硬い酸化チタン等の材料を含有する白色インキで印刷する構成とする場合には、顕在領域が目視可能となった文字や図形等の潜在画像の背景色となる働きを有することにより、目視可能となった文字や図形等の潜在画像の視認性を向上させることができる。
更に黄・赤・藍の３原色のインキを用いることで顕在領域を複数色とすることが可能となり、顕在領域が１色である場合に比べてコイン等の金属片で画像潜在領域を擦る前においては、複数色からなる顕在領域の存在により画像潜在領域を見る者の視点を固定させにくくすることができ、画像潜在領域に印刷された文字や図形等の潜在画像の目視や透視をより強固に防止することができる。
【０００８】
請求項３に記載の印刷物によれば、上記請求項１又は２に記載の構成による効果に加えて、顕在領域は黄・赤・藍の３原色のインキをそれぞれ個別に用い、黄・赤・藍の３種類の網点が印刷された層に構成されている。従って、まず第１に顕在領域は網点印刷されており、且つ画像潜在領域よりも上層であることから画像潜在領域はあたかも顕在領域にある多数の網目に覆われているかのような構成となる。これによりコイン等の金属片で画像潜在領域を擦る前においては、画像潜在領域に印刷された文字や図形等の潜在画像を多方向から見ても目視や透視され難いものとすることができる。
第２にその網点は黄・赤・藍の３種類の網点であることからコイン等の金属片で画像潜在領域を擦る前においては、３種類の異なる色のそれぞれの網点の存在により画像潜在領域を見る者の視点を分散させることができ、上述の画像潜在領域に印刷された文字や図形等の潜在画像の目視や透視をより強固に防止することができる。
更に黄・赤・藍の３種類の網点がランダムに印刷された構成としていることから、コイン等の金属片で画像潜在領域を擦る前においては、ランダムに配置された網点によって画像潜在領域を見る者の視点をより一層分散させることができ、上述の画像潜在領域に潜在する文字や図形等の潜在画像の目視や透視を頗る強固に防止することができる。
【０００９】
請求項４に記載の印刷物によれば、上記請求項１〜３に記載の構成による効果に加えて、白色インキには添加剤としてマットメジュームを加えてある構成としていることから、白色インキを用いて印刷された画像潜在領域が存する層全体の光沢を抑える働きを有し、コイン等の金属片で画像潜在領域を擦る前において画像潜在領域に潜在する文字や図形等の潜在画像をより強固に目視や透視され難いものとすることができる。
【００１０】
請求項５に記載の印刷物の製造方法によれば、印刷基材上に画像潜在領域を先にまず印刷し、その後に顕在領域を画像潜在領域の上に重ね刷りする構成としている。これにより画像潜在領域のインキがまず紙媒体である印刷基材へ十分に定着することで、その後に顕在領域のインキがその上へ塗布されても、画像潜在領域がにじんだり、ぼやけたりすることを防止できる。これにより印刷物の連続印刷に十分対応でき、低コスト且つ高生産を実現できる。
これに対して顕在領域を先にまず印刷し、その後に画像潜在領域を顕在領域の上に重ね刷りする構成とする場合には、画像潜在領域はインキ層である顕在領域の上に存在することになる。よってインキ層の上にインキ層が重なることで画像潜在領域がにじんだり、ぼやけたりする危険性がある。従って本発明の構成とすることにより、このような画像潜在領域のにじみやぼやけを確実に防止することができる。
また印刷基材上に画像潜在領域を先にまず印刷し、その後に顕在領域を画像潜在領域の上に重ね刷りする構成としていることから、コイン等の金属片で画像潜在領域を擦る前においては、色の着いた顕在領域が印刷された層が無色である画像潜在領域が印刷された層を覆う働きを有することにより、画像潜在領域に印刷された文字や図形等の潜在画像の目視や透視を防止することができる。
またコイン等の金属片で画像潜在領域を擦った後において、潜在画像をコイン等の金属片よりも硬い酸化チタン等の材料を含有する白色インキで刷り残す構成とする場合には、着色された画像潜在領域に顕在領域における潜在画像以外の部分が埋没する状態となり潜在画像の視認性を阻害することがなくなる。一方、潜在画像のみをコイン等の金属片よりも硬い酸化チタン等の材料を含有する白色インキで印刷する構成とする場合には、顕在領域が目視可能となった文字や図形等の潜在画像の背景色となる働きを有することにより、目視可能となった文字や図形等の潜在画像の視認性を向上させることができる。
また画像潜在領域の印刷に白色インキを用い、顕在領域の印刷に黄・赤・藍の３原色のインキを用い、印刷基材上の全てのカラー印刷を黄・赤・藍・白の４色のインキを用いて行う構成としていることから、インクを４色しか使用しないことにより印刷基材上の全てのカラー印刷処理を低コスト且つ高効率に行うことができ、環境にもやさしい印刷物とすることができる。
【発明を実施するための最良の形態】
【００１１】
以下の図面を参照して、本発明の実施形態に係る印刷物及び印刷物の製造方法について説明する。
図１は本発明の実施形態に係る印刷物の全体図で、コイン等の金属片で擦る前の状態を示す。図２は図１のＡ―Ａ断面図である。図３は本発明の実施形態に係る印刷物の全体図で、コイン等の金属片で擦った後の状態を示す。図４は図３のＢ−Ｂ断面図である。図５は本発明の印刷物を製造するための印刷機の正面図である。図６は本発明の他の実施形態に係る印刷物の断面図で、図１のＡ−Ａ断面に対応するものでコイン等の金属片で擦る前の状態を示す。図７は本発明の他の実施形態に係る印刷物の断面図で、図３のＢ−Ｂ断面に対応するものでコイン等の金属片で擦った後の状態を示す。
【００１２】
図１〜図４を参照して、本発明の実施形態に係る印刷物１０は画像潜在領域１、顕在領域２、任意画像３、ベタ刷り画像４、印刷基材５とからなる。
前記画像潜在領域１は、図１、図３に示すように、印刷基材５上において一定の範囲を占めるもので、文字や図形等の潜在画像がコイン等の金属片よりも硬い酸化チタン等の材料を含有する白色インキで印刷された領域である。
【００１３】
このように画像潜在領域１をコイン等の金属片よりも硬い酸化チタン等の材料を含有する白色インキで印刷したことで、コイン等の金属片で前記画像潜在領域１を擦ると、コイン等の金属片の金属が酸化チタン等の材料を含有する白色インキに削り取られ、これにより画像潜在領域１が着色され、画像潜在領域１に潜在されている文字や図形等の潜在画像が後発的に目視可能となる。
またコイン等の金属片で画像潜在領域１を擦る前には文字や図形等の潜在画像を十分に目視不能状態に保持することができることから、インスタントくじ、賞品引き替えカード、チケット、切り取り用応募はがき、広告チラシ等の印刷物として幅広く利用することができる。
【００１４】
本実施形態では、図３に示すように、コイン等の金属片で画像潜在領域１を擦ることにより画像潜在領域１における「特賞」で示す潜在画像Ｓの文字以外の全体が暗灰色に着色され、潜在画像Ｓである「特賞」の文字が白抜きとなって目視可能となる構成としている。このような本実施形態の構成においては、図２、図４に示すように、コイン等の金属片よりも硬い酸化チタン等の材料を含有する白色インキで印刷された画像潜在領域１が存する層において、潜在画像Ｓである「特賞」部分のみが刷り残された状態の非印刷部１ａを形成することになる。
【００１５】
勿論、前記本実施形態のような構成とせず、他の実施形態として文字や図形等の潜在画像部分自体が着色されるような構成とすることもできる。この場合は、図６、図７に示すように、文字や図形等の潜在画像部分自体のみがコイン等の金属片よりも硬い酸化チタン等の材料を含有する白色インキで印刷され、その部分のみが印刷層を構成することになる。よってその部分のみが印刷部１ｂを形成することになる。
【００１６】
ただし図１〜図４に示す本実施形態のように、画像潜在領域１が存する層において、目視や透視されたくない文字や図形等の潜在画像を刷り残し、印刷層の一部を非印刷部１ａとする構成の方が、目視や透視されたくない文字や図形等の潜在画像自体を印刷部１ｂとする場合に比べて、画像潜在領域１を多方向から見た場合でも文字や図形等の潜在画像Ｓが凹んだ状態で存在することとなり、文字や図形等の潜在画像Ｓの目視や透視をより強固に防止することができる。
【００１７】
また画像潜在領域１における潜在画像Ｓである「特賞」の文字以外全体が暗灰色に着色され、潜在画像Ｓである「特賞」の文字が白抜きとなって目視可能となる構成としていることから、画像潜在領域１における白抜きに顕在化された潜在画像Ｓの文字「特賞」とその他の暗灰色に着色された部分との画像潜在領域１全体が一体となって潜在画像Ｓの文字「特賞」を浮かび上がらせることで、「特賞」の文字自体のみが暗灰色に着色する構成に比べて、目視可能となった潜在画像Ｓの文字「特賞」をより明確に認識することができる。
特に印刷基材５における画像潜在領域１を除く他の領域に文字や図形等の画像が多くある場合、或いは暗灰色の色が多く使われている場合などにおいては、印刷基材５上で一定の範囲を占める暗灰色に着色された画像潜在領域１の中で潜在画像Ｓの文字「特賞」が白抜きとなることで、他の領域に存する文字や図形等の画像、暗灰色の色に白抜きの潜在画像Ｓの文字「特賞」が埋没することなく、「特賞」の文字自体のみが暗灰色に着色される構成に比べて明確に認識することができる。
【００１８】
ここで前記コイン等の金属片よりも硬い材料としては、下記の表１に示すような酸化チタン、酸化アルミニウム、二酸化ケイ素、酸化クロムの何れか１種又は２種以上を組み合わせて利用することができる。
【００１９】
【表１】
2008073977.tif 000003
【００２０】
ちなみにコインは、例えば１円玉、５円玉、１０円玉、５０円玉、１００円玉、５００円玉の日本円はもとより、外国貨幣のコインでも使用できる。これらのコインの材料として一般的に用いられている金属とそのＭｏｈｓ硬度は、下記の表２の通りである。
【００２１】
【表２】
2008073977.tif 000004
【００２２】
また本実施形態において使用する白色インキの組成は、下記の表３の通りである。
【００２３】
【表３】
2008073977.tif 000005
【００２４】
ここでコイン等の金属片よりも硬い材料を含むインキ組成物中において、コイン等の金属片よりも硬い材料の割合は１０〜８０％が適当である。１０％以下のときはコイン等の金属片に削り取られる度合いが少なく、また着色が不十分である。一方８０％以上のときはインキ化が困難となるからである。
【００２５】
また本実施形態においては、白色インキには添加剤としてマットメジュームを加える構成としている。マットメジュームは白色インキを用いて印刷された画像潜在領域１が存する層全体の光沢を抑える働きを有し、これによってコイン等の金属片で擦る前の画像潜在領域１に存する文字や図形等の潜在画像Ｓをより目視や透視され難いものにすることができる。
【００２６】
また植物油として大豆油を使用した大豆油インキ（ＳＯＹＩＮＫ）を使用する構成としていることから、高沸点石油系溶剤を削減し、印刷後乾燥する際に発生する揮発性有機化合物（ＶＯＣ）を１％未満に軽減でき、大気汚染の防止や作業環境の保全に優れた環境にやさしい印刷物とすることができる。また大豆油インキ（ＳＯＹＩＮＫ）はインクと紙を分離させ易いため、リサイクルし易い印刷物とすることができる。なお大豆油は１〜１０％含有させるのが好ましい。
【００２７】
本実施形態においては、画像潜在領域１の形状を木の葉の形状としているが、当然ながらこの形状に限るものではない。またコイン等の金属片で擦ることで目視可能となる文字や図形等の潜在画像Ｓは、画像潜在領域１の中央のみでなく、画像潜在領域１上の如何なる場所に配置してもよい。また画像潜在領域１の範囲を顕在領域２と同じ範囲とすることも必ずしも必要ではないが、顕在領域２がコイン等の金属片で擦る目印となることを考慮すると、同じかそれより小さい範囲とすることが望ましい。また植物油として大豆油以外を用いることも当然可能であるが、石油系溶剤フリーインキ、ＵＶインキ、易脱墨性ＵＶインキ等のいわゆる環境対応型インキとすることが望ましい。
【００２８】
次に前記顕在領域２は、図１、図３に示すように、印刷基材５上において一定の範囲を占める画像潜在領域１の上層に画像潜在領域１と同じ範囲を占めて存在し、画像潜在領域１をコイン等の金属片で擦る前においては、印刷基材５上においてコイン等の金属片で擦る部分を示す目印になると同時に、画像潜在領域１に潜在する文字や図形等の潜在画像Ｓを目視、透視不可能にする役割を果たすものである。また画像潜在領域１をコイン等の金属片で擦った後においては、目視可能となった潜在画像Ｓ以外の部分は暗灰色に着色された画像潜在領域１に埋没する状態となり、潜在画像Ｓの視認性を阻害することがなくなる。
顕在領域２はコイン等の金属片よりも軟らかい材料からなる黄・赤・藍の３原色のインキを用いて印刷された黄の網点２ａと赤の網点２ｂと藍の網点２ｃとからなる。
【００２９】
このように画像潜在領域１よりも上層に印刷される顕在領域２を黄・赤・藍の３色の網点とし、且つ３色の配置を規則正しくすることなくランダムに配置することで、画像潜在領域１を見る者の視点を分散させることができる。更にこのような構成とすることで、画像潜在領域１は、あたかも顕在領域２にある多数の黄の網点２ａ、赤の網点２ｂ、藍の網点２ｃからなる網目に覆われているかのような構成となり、コイン等の金属片で画像潜在領域１を擦る前においては、画像潜在領域１に印刷された文字や図形等の潜在画像Ｓを多方向から見ても目視や透視され難いものとすることができる。
【００３０】
また図１に示すように、本実施例においては顕在領域２の輪郭Ｌを太罫線で囲み、印刷基材５上の他の領域と区別する構成としている。この輪郭Ｌを印刷することで画像潜在領域１をコイン等の金属片で擦る前においては、印刷基材５上においてコイン等の金属片で擦る部分を示す目印となるという役割を増大させることができる。
【００３１】
更に本実施形態においては、顕在領域２全体に占める黄の網点面積率を３０〜６０％、赤の網点面積率を２０〜３０％、藍の網点面積率を２０〜３０％とする構成とし、黄の網点に赤、藍の網点を加える構成としていることから、人間の視覚に認識され易い黄に赤、藍の色網点が相俟って、コイン等の金属片で擦る前における顕在領域２の視認性を画像潜在領域１の視認性に比べて大きく際立たせることができる。
またコイン等の金属片で画像潜在領域１を擦った後においては、白抜きとなった潜在画像Ｓの文字「特賞」に対する背景色となる暗灰色に前記黄の網点２ａ、赤の網点２ｂ、藍の網点２ｃが埋没する状態となることで「特賞」の文字の視認性を阻害することがなくなる。
【００３２】
また黄・赤・藍の３原色のインキとしては、植物油として大豆油を使用した大豆油インキ（ＳＯＹＩＮＫ）を用いることが望ましい。大豆油インキを用いることで高沸点石油系溶剤を削減し、乾燥する際に発生する揮発性有機化合物（ＶＯＣ）を１％未満とすることができ、大気汚染の防止や作業環境の保全に優れた環境にやさしい印刷物とすることができるからである。また大豆油インキ（ＳＯＹＩＮＫ）はインクと紙を分離させ易いため、リサイクルし易い印刷物とすることもできるからである。なお大豆油は１〜１０％含有させるのが好ましい。
勿論、コイン等の金属片よりも軟らかい材料からなるインクであれば他のインクを用いてもよいが、石油系溶剤フリーインキ、ＵＶインキ、易脱墨性ＵＶインキ等のいわゆる環境対応型インキとすることが望ましい。
【００３３】
また本実施形態では、図１に示すように網点の形状は同一の大きさのドットからなる円形であり、その色の配置はランダムであるものの縦横の配置は規則正しく直線状となっているが、様々な大きさのドットからなる円形でもよいし、その配置もランダムなものでもよい。また実線又は点線からの平行模様や格子模様等、各種図柄模様として印刷しても良い。また網点を黄・赤・藍の３色以外の色で構成することも可能である。網点の数も顕在領域２の大きさにより様々変更してもよい。また顕在領域２の輪郭Ｌを囲むものは太罫線である必要はなく、点線、一点鎖線等、印刷基材５上において顕在領域２を他の領域から区別できるものであればどのような形状であってもよいし、また必ず設ける必要もないが設けることが望ましい。また本実施形態においては、顕在領域２の形状を木の葉の形状としているが、当然ながらこの形状に限るものではない。
【００３４】
任意画像３は賞品の内容、チケットに関する注意書き等の様々な情報を伝えるためのもので、コイン等の金属片よりも軟らかい材料からなるインクにより印刷されたものである。この任意画像３は印刷物の用途により、字や図形、模様等様々な形状、色とすることができる。
またインキとしては、植物油として大豆油を使用した大豆油インキ（ＳＯＹＩＮＫ）を用いることが望ましい。大豆油インキを用いることで高沸点石油系溶剤を削減し、乾燥する際に発生する揮発性有機化合物（ＶＯＣ）を１％未満とすることができ、大気汚染の防止や作業環境の保全に優れた環境にやさしい印刷物とすることができるからである。また大豆油インキ（ＳＯＹＩＮＫ）はインクと紙を分離させ易いため、リサイクルし易い印刷物とすることもできるからである。なお大豆油は１〜１０％含有させるのが好ましい。
勿論、コイン等の金属片よりも軟らかい材料からなるインクであれば他のインクを用いてもよいが、石油系溶剤フリーインキ、ＵＶインキ、易脱墨性ＵＶインキ等のいわゆる環境対応型インキとすることが望ましい。
【００３５】
ベタ刷り画像４は前記任意画像３の背景となるもので、コイン等の金属片よりも軟らかい材料からなるインクにより印刷されたものであり、印刷物の用途により様々な色とすることができる。
またインキとしては、植物油として大豆油を使用した大豆油インキ（ＳＯＹＩＮＫ）を用いることが望ましい。大豆油インキを用いることで高沸点石油系溶剤を削減し、乾燥する際に発生する揮発性有機化合物（ＶＯＣ）を１％未満とすることができ、大気汚染の防止や作業環境の保全に優れた環境にやさしい印刷物とすることができるからである。また大豆油インキ（ＳＯＹＩＮＫ）はインクと紙を分離させ易いため、リサイクルし易い印刷物とすることもできるからである。尚、大豆油は１〜１０％含有させるのが好ましい。
勿論、コイン等の金属片よりも軟らかい材料からなるインクであれば他のインクを用いてもよいが、石油系溶剤フリーインキ、ＵＶインキ、易脱墨性ＵＶインキ等のいわゆる環境対応型インキとすることが望ましい。
【００３６】
ここでコイン等の金属片よりも軟らかい材料からなるインクとしては、下記の表４に示すような硫酸バリウム、炭酸カルシウム等を利用することができる。
【００３７】
【表４】
2008073977.tif 000006
【００３８】
印刷基材５は印刷物１０の台紙となるもので、マット系コート紙が望ましいが、コート紙や上質紙、その他の紙、プラスチックフィルム、金属フィルムを用いることができる。
勿論、再生紙を利用することもできる。
【００３９】
図５を参照して、本発明に係る印刷物の製造方法の実施形態を説明する。
本発明の印刷物は、図５に示す枚葉オフセット印刷機６を用いて印刷することができる。枚葉オフセット印刷機６は印刷ユニット６ａ、６ｂ、６ｃ、６ｄとからなり、順次白、黄、赤、藍の４色のインクが充填されている。この枚葉オフセット印刷機６に印刷基材５を１度通すことで本発明に係る印刷物１０を完成させることができる。その際、画像潜在領域１の印刷は顕在領域２の印刷よりも必ず先に行う。このような構成とすることで、画像潜在領域１のインキがまず紙媒体である印刷基材５へ十分に染み込み、その後に顕在領域のインキがその上へ塗布されても画像潜在領域１がにじんだり、ぼやけたりすることを防止できる。これにより印刷物１０の連続印刷に十分対応でき、低コスト且つ高生産を実現できる。
これに対して顕在領域２をまず印刷し、その後に画像潜在領域１を顕在領域２の上に重ね刷りする場合には、画像潜在領域１はインキ層である顕在領域２の上に存在することになる。よってインキ層の上にインキ層が重なることで、画像潜在領域１がにじんだり、ぼやけたりする危険性がある。従って本発明の構成とすることにより、このような画像潜在領域１のにじみやぼやけを確実に防止することができる。
またコイン等の金属片で画像潜在領域１を擦る前においては、有色である顕在領域２が、無色である画像潜在領域１を覆う働きを有することにより、画像潜在領域１に潜在する文字や図形等の潜在画像Ｓの目視や透視を防止することができる。またコイン等の金属片で画像潜在領域１を擦った後においては、有色である顕在領域２が目視可能となった文字や図形等の潜在画像Ｓの背景色となる働きを有することにより、目視可能となった文字や図形等の潜在画像Ｓの視認性を向上させることができる。
また使用するインクを黄、赤、藍の３原色と白の４色のみとし、印刷基材５上の全てのカラー印刷をこの４色のみで枚葉オフセット印刷機６を用いて印刷することで低コスト且つ高効率に行うことができる。
なお本発明に係る印刷物の印刷は枚葉オフセット印刷方式とすることが望ましいが、ＵＶオフセット印刷方式、活版印刷方式、グラビア印刷方式、ＵＶ活版印刷方式の何れを用いてもよい。
【図面の簡単な説明】
【００４０】
【図１】本発明の実施形態に係る印刷物の全体図で、コイン等の金属片で擦る前の状態を示す。
【図２】図１のＡ−Ａ断面図である。
【図３】本発明の実施形態に係る印刷物の全体図で、コイン等の金属片で擦った後の状態を示す。
【図４】図３のＢ−Ｂ断面図である。
【図５】本発明の実施形態に係る印刷物を製造するための印刷機の正面図である。
【図６】本発明の他の実施形態に係る印刷物の断面図で、図１のＡ−Ａ断面に対応するものでコイン等の金属片で擦る前の状態を示す。
【図７】本発明の他の実施形態に係る印刷物の断面図で、図３のＢ−Ｂ断面に対応するものでコイン等の金属片で擦った後の状態を示す。
【符号の説明】
【００４１】
１                        画像潜在領域
１ａ                      非印刷部
１ｂ                      印刷部
２                        顕在領域
２ａ                      黄の網点
２ｂ                      赤の網点
２ｃ                      藍の網点
３                        任意画像
４                        ベタ刷り画像
５                        印刷基材
６                        枚葉オフセット印刷機
６ａ、６ｂ、６ｃ、６ｄ    印刷ユニット
１０                      印刷物
Ｌ                        輪郭
Ｓ                        潜在画像
【図１】
2008073977.tif 000007
【図２】
2008073977.tif 000008
【図３】
2008073977.tif 000009
【図４】
2008073977.tif 000010
【図５】
2008073977.tif 000011
【図６】
2008073977.tif 000012
【図７】
2008073977.tif 000013